【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
複数素材の三次元プリンタであって、
構築プレートと、
前記構築プレートの主軸に沿って可動な主軸移送機構および前記構築プレートの短軸に沿って可動な短軸移送機構であって、前記主軸移送機構および前記短軸移送機構は互いに係合可能に連係する、主軸移送機構および短軸移送機構と、
前記主軸移送機構に取付け可能な複数の粉ディスペンサのうちの第１の粉ディスペンサであって、前記構築プレート上に第１の粉層を配置するために前記構築プレートの少なくとも一部にわたって可動な第１の粉ディスペンサと、
前記短軸移送機構に取付け可能な複数の結合剤噴射器のうちの１つの結合剤噴射器であって、結合剤を配置して、結合剤が配置される場所において第１の粉を一体に結合するために、前記短軸に沿って前記構築プレートの少なくとも一部にわたって可動な結合剤噴射器と、
前記主軸移送機構に取付け可能な第１の粉除去機であって、前記第１の粉層において結合されない第１の粉を除去するために前記主軸に沿って前記構築プレートの少なくとも一部にわたって可動な第１の粉除去機と、
前記複数の粉ディスペンサのうちの第２の粉ディスペンサであって、当該第２のディスペンサは、前記構築プレート上に第２の粉層を配置するために前記主軸に沿って前記構築プレートの少なくとも一部にわたって可動であり、第２の粉は前記第１の粉とは異なる、第２の粉ディスペンサと、
の組み合わせで構成される、プリンタ。
【請求項２】
前記構築プレートと、前記第１の粉ディスペンサ、前記結合剤噴射器および前記第２の粉ディスペンサとの間に、前記構築プレートを前記第１の粉ディスペンサ、前記結合剤噴射器および前記第２の粉ディスペンサに対して動かすための移動機が挿入された、請求項１に記載のプリンタ。
【請求項３】
前記移動機は前記構築プレートのためのエレベータを含み、前記エレベータは前記第２の粉層が完成した後に前記構築プレートを低くする、請求項２に記載のプリンタ。
【請求項４】
前記第１の粉ディスペンサは前記構築プレート全体にわたって可動である、請求項１に記載のプリンタ。
【請求項５】
前記第１の粉ディスペンサおよび前記結合剤噴射器は前記構築プレート上で一方が他方に従って共に動く、請求項１に記載のプリンタ。
【請求項６】
前記第２の粉ディスペンサおよび前記結合剤噴射器は前記構築プレート上で一方が他方に従って共に動く、請求項５に記載のプリンタ。
【請求項７】
複数の硬化放射線源のうちの１つの硬化放射線源は少なくとも１つの結合剤が配置されたところで結合剤を硬化して前記第１の粉および前記第２の粉を一体に保持するために前記構築プレートの少なくとも一部にわたって可動である、請求項１に記載のプリンタ。
【請求項８】
前記硬化放射線源は前記構築プレート全体にわたって移動する、請求項７に記載のプリンタ。
【請求項９】
前記硬化放射線源は紫外線放射源を含む、請求項７に記載のプリンタ。
【請求項１０】
前記硬化放射線源は熱源を含む、請求項７に記載のプリンタ。
【請求項１１】
前記層の結合されていない第２の粉を除去するために前記主軸に沿って前記構築プレートの少なくとも一部にわたって可動な第２の粉除去機が提供され、前記主軸移送機構は、少なくとも前記第１の粉ディスペンサ、前記第２の粉ディスペンサ、前記第１の粉除去機および前記第２の粉除去機を前記構築プレート上で前記構築プレートの第１の端部から前記第１の端部と対向する第２の端部まで実質的に線形に運ぶ、請求項１に記載のプリンタ。
【請求項１２】
前記主軸移送機構に取付け可能な前記複数の粉ディスペンサのうちの第３の粉ディスペンサであって、結合されていない第１および第２の粉の除去によって形成された穴領域内に第３の粉を施すために前記主軸に沿って前記構築プレートの少なくとも一部にわたって可動な第３の粉ディスペンサを備えた、請求項１に記載のプリンタ。
【請求項１３】
複数素材の三次元印刷のための方法であって、
構築プレートの短軸に沿って可動な短軸移送機構と係合可能に連係する、前記構築プレートの主軸に沿って可動な主軸移送機構を提供するステップと、
主軸に沿って構築プレート上にわたり第１の粉層に第１の粉を施すステップと、
前記第１の粉層の一部と組み合わせるための、短軸に沿って結合剤を適用する第１のステップと、
前記結合剤が接触しない前記第１の粉層の一部から第１の粉を除去するステップと、
前記主軸に沿って前記構築プレート上にわたり前記第１の粉とは異なる第２の粉を第２の粉層に施すステップと、
前記第２の粉層の一部と組み合わせるための、前記短軸に沿って結合剤を適用する第２のステップと、
前記結合剤が接触しない前記第２の粉層の一部から第２の粉を除去するステップと、
先に完成した層上の新しい層において前記第１の粉を施すステップを繰り返すステップと、
前記新しい層の一部に前記結合剤を適用する第１のステップを繰り返すステップと、
前記第１の粉を除去するステップを繰り返すステップと、を含む方法。
【請求項１４】
前記結合剤を適用する第１のステップおよび前記結合剤を適用する第２のステップはプリンタヘッドから少なくとも１つの結合剤を噴射するステップを含む、請求項１３に記載の方法。
【請求項１５】
前記結合剤を適用する第１のステップにおいて前記結合剤を適用する第２のステップと異なる結合剤が使用される、請求項１４に記載の方法。
【請求項１６】
前記結合剤を適用する第１のステップおよび前記結合剤を適用する第２のステップにおいて共通の結合剤が使用される、請求項１４に記載の方法。
【請求項１７】
前記第１の粉を施すステップは前記結合剤を適用する第１のステップに先行する、請求項１３に記載の方法。
【請求項１８】
前記結合剤を適用する第１のステップは前記第１の粉を施すステップに先行する、請求項１３に記載の方法。
【請求項１９】
前記結合剤を適用する第１のステップの後および前記結合剤を適用する第２のステップの後に、前記結合剤を硬化するステップをさらに含む、請求項１３に記載の方法。
【請求項２０】
前記第１の粉を施すステップおよび／または前記第２の粉を施すステップを前記構築プレート上の特定領域に限定するさらなるステップを含む、請求項１３に記載の方法。
【請求項２１】
前記結合剤を適用する第１のステップおよび／または前記結合剤を適用する第２のステップを前記構築プレート上の特定領域に限定するさらなるステップを含む、請求項１３に記載の方法。
【請求項２２】
前記第２の粉を除去するステップに続いて、結合されていない第１および第２の粉の前記除去によって形成された穴領域内に第３の粉を施すステップが行なわれる、請求項１３に記載の方法。
【請求項２３】
前記短軸は前記主軸に直交する、請求項１に記載のプリンタ。
【請求項２４】
前記第３の粉は散逸性素材である、請求項１２に記載のプリンタ。
【請求項２５】
前記散逸性素材を気化させ、前記散逸性素材に代えて空洞領域を残す硬化放射線源を備えた、請求項２４に記載のプリンタ。
【請求項２６】
前記主軸移送機構および前記短軸移送機構、前記複数の粉ディスペンサ、前記複数の結合剤噴射器、ならびに前記第１の粉除去機および前記第２の粉除去機は、互いに連係して複数の同一および非同一の物体を前記構築プレート上に形成し、前記連係はコンピュータによって制御される、請求項１１に記載のプリンタ。
【請求項２７】
前記第３の粉は散逸性素材である、請求項２２に記載の方法。
【請求項２８】
後の焼結または加熱ステップによって前記散逸性素材を気化させ、前記散逸性素材に代えて空洞領域を残すステップをさらに含む、請求項２７に記載の方法。
【請求項２９】
前記結合剤噴射器はプリントヘッドを備え、前記プリントヘッドの長さは前記構築プレートの幅未満であり、前記プリントヘッドは前記短軸に沿った移送のための前記短軸移送機構に取り付けられ、前記短軸移送機構は前記主軸移送機構に取付け可能で前記主軸に沿って可動であり、前記短軸は前記主軸に直交する、請求項１に記載のプリンタ。
【請求項３０】
前記結合剤噴射器は全幅プリントヘッドを備え、前記全幅プリントヘッドの長さは前記構築プレートの幅と少なくとも等しく、前記プリントヘッドは前記主軸移送機構に取付け可能で前記主軸に沿って可動である、請求項１に記載のプリンタ。
【請求項３１】
前記主軸移送機構に取付け可能であり、前記第１及び第２の粉層上に配置された結合剤を硬化するために、前記主軸に沿って前記構築プレートの少なくとも一部にわたって可動である硬化放射線源を備えた、請求項１に記載のプリンタ。
【請求項３２】
前記コンピュータにより個々にアドレス可能な一連のＵＶＬＥＤである硬化放射線源を備えた、請求項２６に記載のプリンタ。
【請求項３３】
ＵＶ放射線源である硬化放射線源を備え、前記ＵＶ放射線源の長さは前記構築プレートの幅未満であり、前記ＵＶ放射線源は、短軸に沿った移送のための短軸移送手段に取り付けられ、少なくとも１つの結合剤が配置されたところで結合剤を硬化して前記第１の粉および前記第２の粉を一体に保持するために、前記構築プレートの少なくとも一部にわたって可動であり、前記短軸は前記主軸に直交する、請求項１に記載のプリンタ。